(57)【特許請求の範囲】
【請求項１】
表示部を備える第１筺体、操作入力部を備える第２筺体及び両筺体を結合するヒンジ部を含む折り畳み構造の電子機器であって、
除菌を行うためのオゾン及び空気清浄を行うためのマイナスイオンを発生させ所定の方向に出力するイオン発生手段を、前記第２筺体におけるヒンジ部とは反対側の端部であって前記操作入力部の近傍に有し、
前記イオン発生手段は、前記電子機器が開状態かつ電源ＯＮ状態の場合に前記所定の方向が前記ヒンジ部から離間する方向となる状態で前記マイナスイオンを発生させ出力し、前記電子機器が閉状態かつ電源ＯＦＦ状態の場合に前記所定の方向が前記ヒンジ部に近接する方向となる状態で前記オゾンを発生させ出力することを特徴とする電子機器。
【請求項２】
前記電子機器の開閉状態に応じて、前記イオン発生手段の前記オゾン又は前記マイナスイオンの出力方向を切り替える方向切り替え手段を有することを特徴とする請求項１に記載の電子機器。
【請求項３】
前記方向切り替え手段は、前記イオン発生手段、前記第１筺体及び前記第２筺体に配置した磁石間の磁力を利用して前記イオン発生手段の出力方向を切り替えることを特徴とする請求項２に記載の電子機器。
【請求項４】
前記方向切り替え手段は、前記電子機器の開閉動作で生じる前記ヒンジ部の回転力を利用して前記イオン発生手段の出力方向を切り替えることを特徴とする請求項２に記載の電子機器。
【請求項５】
前記方向切り替え手段は、前記電子機器の開閉状態に基づいて駆動するアクチュエータの動力を利用して前記イオン発生手段の出力方向を切り替えることを特徴とする請求項２に記載の電子機器。
【請求項６】
前記電子機器の開閉状態及び電源状態に応じて、前記イオン発生手段の前記オゾン又は前記マイナスイオンの発生機能を切り替える機能切り替え手段を有することを特徴とする請求項１から５のいずれか１項に記載の電子機器。
【請求項７】
前記電子機器が開状態から閉状態になった場合に電源ＯＮ状態から電源ＯＦＦ状態に切り替え、前記電子機器が閉状態から開状態になった場合に電源ＯＦＦ状態から電源ＯＮ状態に切り替える機器電源制御手段を有することを特徴とする請求項１から６のいずれか１項に記載の電子機器。
【発明の詳細な説明】
【技術分野】
【０００１】
本発明は、電子機器に関し、特に、ノート型ＰＣや携帯ゲーム機器等の折り畳み構造を有する電子機器に好ましく適用される技術で、該電子機器に除菌機能や空気清浄機能を付加するための技術に関するものである。
【背景技術】
【０００２】
近年、ユーザの清潔志向を反映して、ＰＣやゲーム機器等の情報端末、テレビやビデオレコーダ等のＡＶ機器、コピー機やプリンタ等の事務機器といった不特定多数のユーザにより操作される電子機器において、操作部に抗菌処理が施されているものが多く提供されている。例えば特許文献１では、ノート型ＰＣ等の電子機器におけるデータ表示装置やデータ入力装置の除菌処理に関する発明が開示されている。当該発明では、ノート型ＰＣのディスプレイ、キーボード、ポインティングデバイス等に対して、光に反応して除菌を行う光触媒をコーティングしておき、これらの装置にバックライトの光を照射することで除菌処理を行っている。
【０００３】
ところで、最近では、空気中の分子をプラスあるいはマイナスに帯電させてイオン化するイオン発生素子の開発が盛んに行われており、本格的な実用化がされつつある。また、このイオン発生素子はオゾンを発生することもでき、その場合はオゾンと同時にマイナスイオンも発生する。マイナスイオンは空気清浄、消煙、除電といった様々な効果をもたらし、オゾンは除菌、除臭、防ダニ等の機能を発揮する。家電分野では、空気清浄機やエアコンの集塵システム、冷蔵庫や掃除機の除菌・消臭システムに利用され始めている。
【先行技術文献】
【特許文献】
【０００４】
【特許文献１】特開２００５−３３９２９２号公報
【発明の概要】
【発明が解決しようとする課題】
【０００５】
不特定多数のユーザが操作する可能性のあるＰＣ等の電子機器について、除菌だけでなく空気清浄機能も発揮させたい場合、特許文献１に開示された抗菌処理では対応できず、除菌及び空気清浄が可能なイオン発生技術を利用することが望ましい。しかしながら、上述したように、マイナスイオンは空気清浄だけでなく除電の効果も同時に働くため、利用にあたって以下の点を考慮する必要がある。
【０００６】
一般に、オゾンによる除菌はキーボードやポインティングデバイスに対して行い、マイナスイオンによる空気清浄は電子機器周辺（例えば操作ユーザ等）に対して行うものである。ＰＣ電源ＯＮ時にマイナスイオンを操作ユーザに向けて発生させ空気清浄を行っても、ＰＣに与える影響はない。しかし、ＰＣ電源ＯＮ時にオゾンを発生させてキーボードやポインティングデバイスの除菌を行う場合、同時に発生するマイナスイオンが、特に低電圧回路に影響を及ぼし、動作不良を引き起こす可能性があるため、ＰＣのシステム動作中にオゾンによる電子機器の除菌を行うことは好ましくない。
【０００７】
そこで、本発明は、動作不良を引き起こすことなく、電子機器の表示装置や入力装置の除菌及び電子機器周辺の空気清浄を行えるようにすることを目的とする。
【課題を解決するための手段】
【０００８】
本発明の電子機器は、表示部を備える第１筺体、操作入力部を備える第２筺体及び両筺体を結合するヒンジ部を含む折り畳み構造の電子機器であって、除菌を行うためのオゾン及び空気清浄を行うためのマイナスイオンを発生させ所定の方向に出力するイオン発生手段を、第２筺体におけるヒンジ部とは反対側の端部であって操作入力部の近傍に有し、イオン発生手段は、電子機器が開状態かつ電源ＯＮ状態の場合に所定の方向がヒンジ部から離間する方向となる状態でマイナスイオンを発生させ出力し、電子機器が閉状態かつ電源ＯＦＦ状態の場合に所定の方向がヒンジ部に近接する方向となる状態でオゾンを発生させ出力する。
【０００９】
また、本発明の電子機器は、上記電子機器において、電子機器の開閉状態に応じて、イオン発生手段のオゾン又はマイナスイオンの出力方向を切り替える方向切り替え手段を有するように構成してもよい。
【００１０】
また、本発明の電子機器は、上記電子機器において、方向切り替え手段が、イオン発生手段、第１筺体及び第２筺体に配置した磁石間の磁力を利用してイオン発生手段の出力方向を切り替えるようにしてもよい。
【００１１】
また、本発明の電子機器は、上記電子機器において、方向切り替え手段が、電子機器の開閉動作で生じるヒンジ部の回転力を利用してイオン発生手段の出力方向を切り替えるようにしてもよい。
【００１２】
また、本発明の電子機器は、上記電子機器において、方向切り替え手段が、電子機器の開閉状態に基づいて駆動するアクチュエータの動力を利用してイオン発生手段の出力方向を切り替えるようにしてもよい。
【００１３】
また、本発明の電子機器は、上記電子機器において、電子機器の開閉状態及び電源状態に応じて、イオン発生手段のオゾン又はマイナスイオンの発生機能を切り替える機能切り替え手段を有するように構成してもよい。
【００１４】
また、本発明の電子機器は、上記電子機器において、電子機器が開状態から閉状態になった場合に電源ＯＮ状態から電源ＯＦＦ状態に切り替え、電子機器が閉状態から開状態になった場合に電源ＯＦＦ状態から電源ＯＮ状態に切り替える機器電源制御手段を有するようにしてもよい。
【発明の効果】
【００１５】
本発明によれば、動作不良を引き起こすことなく、電子機器の表示装置や入力装置の除菌及び電子機器周辺の空気清浄を行うことが可能となる。
【図面の簡単な説明】
【００１６】
【図１】本発明の実施形態に係るノート型ＰＣの全体構成を示した図である。
【図２】イオン発生原理を説明するための図である。
【図３】本発明の実施形態に係るイオン発生装置の構成を示した図である。
【図４】本発明の実施形態に係るノート型ＰＣのイオン発生方向切り替え構造を示した図である。
【図５】本発明の実施形態に係るノート型ＰＣの発生モード切り替えの流れを示したフローチャートである。
【図６】本発明の実施形態における機器状態とイオン発生方向及びイオン発生モードとの対応関係を示した図である。
【図７】本発明の実施形態に係るノート型ＰＣのイオン発生機能を説明するための図である。
【図８】本発明の実施形態に係るノート型ＰＣのイオン発生方向切り替え構造を示した図である。
【図９】本発明の実施形態に係るノート型ＰＣの全体構成を示した図である。
【図１０】本発明の実施形態に係るノート型ＰＣのイオン発生方向切り替え構造を示した図である。
【発明を実施するための形態】
【００１７】
以下、本発明の実施形態について図面を参照して説明する。
【００１８】
［第１実施形態］
本発明の第１の実施形態は、イオン発生装置を搭載したノート型ＰＣで、ディスプレイやキーボード等へのオゾンによる除菌とマイナスイオンによるＰＣ周辺の空気清浄とをイオン発生装置で行う。また、磁石を利用してイオン発生装置のマイナスイオン／オゾン出力方向を切り替える機構を備えたものである。
【００１９】
図１は、本実施形態のノート型ＰＣの全体構成を示した図である。本実施形態のノート型ＰＣ（以下、ＰＣという）は、ＣＰＵ１０、ＲＡＭ２０、ＲＯＭ３０、割り込み制御部４０、ディスク制御部５０、ディスク装置５１、液晶制御部６０、液晶表示装置６１、入力制御部７０、キーボード７１、マウス７２、電源制御部８０、電源ボタン８１、システムステート制御部９０、ＬＣＤ開閉検出部９１、イオン発生装置９２を有して構成される。上記の各部は、システムバス１００に接続され、このシステムバス１００を介してデータのやり取りを行う。
【００２０】
ＣＰＵ１０は、ＲＯＭ３０に格納された制御プログラムやアプリケーションプログラム等に従って、ノート型ＰＣの全体動作やアプリケーション等の制御を行う。ＲＡＭ２０は、ＣＰＵ１０による動作制御の際に利用される作業用の記憶領域を有する。ＲＯＭ３０は、制御プログラムやアプリケーションプログラム等を格納する記憶領域を有する。割り込み制御部４０は、複数のタスク間で実行される処理の割り込みを制御する。
【００２１】
ディスク制御部５０は、画像データや映像データ等の各種データを保存するための外部記憶装置であるディスク装置５１を制御する。液晶制御部６０は、ＰＣのディスプレイである液晶表示装置６１の表示制御を行う。入力制御部７０は、データ入力装置であるキーボード７１及びマウス７２を制御する。なお、マウス７２には、例えばキーボード７１の下部に配置されるポインティングデバイス等の、ＰＣに一体となって搭載される入力装置が含まれる。
【００２２】
システムステート制御部９０は、ＰＣの電源状態やディスプレイ（液晶表示装置６１）の開閉状態を監視し、これらの状態に応じてイオン発生機能の制御を行う。すなわち、システムステート制御部９０は、システムへの電源供給開始及び電源供給停止を行う電源制御部８０からＰＣ電源状態を取得し、ディスプレイの開閉状態を検出するＬＣＤ開閉検出部９１から開閉状態を取得し、電源状態と開閉状態に基づいて、イオン発生装置９２のマイナスイオン／オゾン発生のモード変更を制御する。
【００２３】
ディスプレイ、キーボード、ポインティングデバイスに対するオゾンを用いた除菌は、上述したマイナスイオンの除電効果を考慮して、ＰＣが電源ＯＦＦ中に各デバイスに向けて発生したオゾンを放射することが望ましい。一方、ＰＣ周辺の空気清浄は除菌が行われている以外の時（つまり電源ＯＮ状態）になされることになる。上記から、システムステート制御部９０は、イオン発生装置９２のイオン発生モードを、ＰＣが電源ＯＦＦ状態に除菌のためのオゾンを発生させるモード（オゾンモード）に切り替え、ＰＣが電源ＯＮ状態に空気清浄のためのマイナスイオンを発生させるモード（マイナスイオンモード）に切り替える。
【００２４】
イオン発生装置９２は、図２に示すような、鋭利な電極に高電圧を印加することで強電界を局部集中させ電極周辺の空気分子を励起してイオン化するイオン発生原理を応用して、空気分子を効率良くイオン化する装置である。図３にイオン発生装置９２の構成を示す。イオン発生装置９２は、発生制御部９２１、電圧供給部９２２、可変抵抗部９２３、電極部９２４を有して構成される。
【００２５】
発生制御部９２１は、システムステート制御部９０からの命令に従って、イオン発生モードをマイナスイオンモードとオゾンモードの２モード間で切り替える。ここで、マイナスイオンの発生量は印加電圧や電流等には無関係に一定であり、オゾンの発生量は印加電圧や電流等に応じて変化することが知られている。つまり、イオン発生装置９２に電圧を印加することでマイナスイオンとオゾンはともに発生するが、オゾンの発生量が印加電圧によって異なる。本実施形態では、オゾンの濃度が１ｐｐｍ以上となるイオン発生モードをオゾンモードとし、オゾンの濃度が０．０５ｐｐｍ以下となるイオン発生モードをマイナスイオンモードとしている。
【００２６】
また、本実施形態では、電極に流れる電流の値を調整することでイオン発生モードを切り替える方法を採用する。具体的には、電圧供給部９２２により一定の電圧をイオン発生装置９２に印加し、発生制御部９２１の命令を受けて可変抵抗部９２３の抵抗値を調整し、電極部９２４への電流値を制御する。発生制御部９２１は、システムステート制御部９０からマイナスイオンモードに切り替える指示を受けた場合、可変抵抗部９２３の抵抗値を大きくして電極部９２４への電流値を小さくし、オゾン濃度が０．０５ｐｐｍとなるようにする。逆に、オゾンモードに切り替える指示を受けた場合、発生制御部９２１は、可変抵抗部９２３の抵抗値を小さくして電極部９２４への電流値を大きくし、オゾン濃度が１ｐｐｍ以上となるようにする。上記のような電流制御による方法の他に、発生回路に印加する電圧を調整する方法、針電極の長さや電極の距離（配置）を調整する方法がある。
【００２７】
図４は、本実施形態のＰＣのイオン発生方向切り替え構造を示した図である。本実施形態では、ディスプレイを搭載した上部筺体、キーボードを搭載した下部筺体、イオン発生装置に磁石（永久磁石）を取り付け、これらの磁石間に磁力を利用してイオン発生装置の出力方向の切り替えを行う。イオン発生装置は、ユーザの操作に影響がない場所として、ＰＣの内部に配置するのが好ましいが、これに限られるものではない。図４では下部筺体におけるヒンジ部とは反対側の端部近くにイオン発生装置を配置しているが、配置場所は下部筺体におけるヒンジ部近辺でも上部筺体の中でもよい。また、磁力を発生させる磁石として電磁石を用いることも可能である。
【００２８】
Ｎ極の磁石は、上部筺体におけるヒンジ部とは反対側の端部近くとイオン発生装置に取り付け、Ｓ極の磁石は、下部筺体におけるヒンジ部とは反対側の端部近くでイオン発生装置の配置場所の下方に取り付ける。上部筺体（ディスプレイ）が開いている状態では、図４（ａ）に示すように、イオン発生装置のＮ極磁石とその下方のＳ極磁石とが引き合って、イオン発生装置の出力方向が端末外側（ＰＣから離間する方向（操作するユーザのいる方向））となる。一方、上部筺体（ディスプレイ）が閉じている状態では、図４（ｂ）に示すように、イオン発生装置のＮ極磁石と上部筺体のＮ極磁石が反発して、イオン発生装置の出力方向が端末内側（両筺体が向い合う面（ディスプレイやキーボード等の配置面））となる。
【００２９】
図５は、本実施形態におけるイオン発生モードの切り替え処理の流れを示したフローチャートである。電源制御部８０は、電源ＯＮあるいは電源ＯＦＦとなったタイミングで電源状態をシステムステート制御部９０に通知する。また、ＬＣＤ開閉検出部９１は、ディスプレイ（ＬＣＤ）が開状態あるいは閉状態となったタイミングで開閉状態をシステムステート制御部９０に通知する。システムステート制御部９０は、電源制御部８０あるいはＬＣＤ開閉検出部９１から端末状態情報を取得したタイミングで、後述するモード切り替え判定を行う。
【００３０】
電源制御部８０及びＬＣＤ開閉検出部９１からの端末状態情報が電源ＯＮ状態かつＬＣＤ開状態の場合（ステップＳ１／ＹＥＳ、ステップＳ２／ＹＥＳ）には、イオン発生装置９２に対して、マイナスイオンモードに切り替える命令を出す（ステップＳ４）。電源制御部８０及びＬＣＤ開閉検出部９１からの端末状態情報が電源ＯＦＦ状態かつＬＣＤ閉状態の場合（ステップＳ１／ＮＯ、ステップＳ３／ＹＥＳ）には、イオン発生装置９２に対して、オゾンモードに切り替える命令を出す（ステップＳ５）。
【００３１】
他方、端末状態情報が電源ＯＮ状態かつＬＣＤ閉状態の場合（ステップＳ１／ＹＥＳ、ステップＳ２／ＮＯ）、電源ＯＦＦ状態かつＬＣＤ開状態の場合（ステップＳ１／ＮＯ、ステップＳ３／ＮＯ）は、イオン発生装置９２に対して、イオン発生動作の停止命令を出す（ステップＳ６）。
【００３２】
このように、本実施形態では、ＰＣ電源状態及びＬＣＤ開閉状態とイオン発生方向及びイオン発生機能（モード）の関係は、図６のシステム動作モード対応表のようにまとめることができる。ＰＣ電源がＯＮ状態でＬＣＤが開状態のとき、イオン発生モードはマイナスイオンモードで出力方向は端末外側（操作ユーザ側）となる。一方、ＰＣ電源がＯＦＦ状態でＬＣＤが閉状態のとき、イオン発生モードはオゾンモードで出力方向は端末内側（ＬＣＤ、キーボード側）となる。
【００３３】
また、本実施形態のＰＣにおける空気清浄及び除菌を図で示すと図７のようになる。ＬＣＤが開いている状態では、図７（ｃ）のようにイオン発生装置の出力方向は操作ユーザ側で、図７（ａ）のようにイオン発生装置はマイナスイオンモードに切り替わり、ユーザ周辺の空気清浄を行う。ＬＣＤが閉じている状態では、図７（ｄ）のようにイオン発生装置の出力方向はＬＣＤやキーボードの側で、図７（ｂ）のようにイオン発生装置はオゾンモードに切り替わり、ＬＣＤやキーボード、ポインティングデバイス（スライドパッド）の除菌を行う。
【００３４】
なお、本実施形態では、マイナスイオンモードは電源ＯＮ状態かつＬＣＤ開状態のみ、オゾンモードは電源ＯＦＦ状態かつＬＣＤ閉状態のみとしたが、電源ＯＮ時にＰＣに向けてイオン発生を行わないこと及びＬＣＤやキーボードに向けてオゾン除菌を行うことに従う限り、上記２つに限られない。例えば、電源ＯＦＦ状態で開状態の場合にマイナスイオンモードとするようにしてもよい。
【００３５】
［第２実施形態］
本発明の第２の実施形態は、第１実施形態と同様の空気清浄機能と除菌機能を持ったイオン発生装置搭載ＰＣだが、イオン発生方向切り替え構造が第１実施形態とは異なる。第２実施形態のＰＣは、ディスプレイの開閉動作で生じるヒンジ部の回転力を利用してイオン発生装置のマイナスイオン／オゾン出力方向を切り替える機構を備える。
【００３６】
上部筺体と下部筺体とを結合するヒンジ部にワイヤ巻き部材を設け、ワイヤの一端をこのワイヤ巻き部材に取り付け、他の一端をイオン発生装置の出力側端部に取り付ける。なお、イオン発生装置は、重りを付加したり、支持する位置を調整する等して、端末外側（ＰＣから離間する方向（操作するユーザのいる方向））を向いている状態を初期状態（外部から力の加えられていない状態）とする。
【００３７】
上部筺体（ディスプレイ）が開いている状態では、図８（ａ）に示すように、ワイヤはワイヤ巻き部材に巻き取られておらず、イオン発生装置は初期状態にあるため出力方向が端末外側となる。一方、上部筺体（ディスプレイ）が閉じている状態では、図８（ｂ）に示すように、ワイヤがワイヤ巻き部材に巻き取られるため、ワイヤに引っ張られたイオン発生装置の出力方向は端末内側（両筺体が向い合う面（ディスプレイやキーボード等の配置面））となる。
【００３８】
［第３実施形態］
本発明の第３の実施形態は、第１実施形態や第２実施形態と同様の空気清浄機能と除菌機能を持ったイオン発生装置搭載ＰＣだが、イオン発生方向切り替え構造が第１実施形態とは異なる。第３実施形態のＰＣは、ディスプレイの開閉状態に基づいて駆動するアクチュエータの動力を利用してイオン発生装置のマイナスイオン／オゾン出力方向を切り替える機構を備える。
【００３９】
図９は、本実施形態のＰＣの全体構成を示した図である。図１と共通する箇所についての説明は省略し、相違する部分についてのみ述べることとする。本実施形態のＰＣは、上述したように、ディスプレイの開閉状態に応じてアクチュエータを駆動させ、その動力によりイオン発生装置の出力方向を切り替えるが、図１の構成に加えてイオン発生端子針向き制御部９３を有する。イオン発生端子針向き制御部９３は、例えばイオン発生端子の向きを切り替えるアクチュエータである。ＬＣＤ開閉検出部９１は、ディスプレイの開閉状態を検出してシステムステート制御部９０に状態情報を通知し、システムステート制御部９０は、ＬＣＤ開閉検出部９１からの開閉状態に基づいて、イオン発生端子針向き制御部９３を駆動させる制御信号を送出する。イオン発生端子針向き制御部９３は、システムステート制御部９０からの制御信号に従って駆動し、イオン発生端子の向きを切り替える。
【００４０】
システムステート制御部９０は、図６の対応表に従って、ディスプレイが開状態の場合、イオン発生端子針向き制御部９３に対して、図１０（ａ）に示すようにイオン発生端子が端末外側（操作ユーザ側）に向くように駆動させる制御信号を送出する。また、ディスプレイが閉状態の場合、イオン発生端子針向き制御部９３に対して、図１０（ｂ）に示すようにイオン発生端子が端末内側（ディスプレイやキーボード等の配置面）に向くように駆動させる制御信号を送出する。
【００４１】
［第４実施形態］
本発明の第４の実施形態は、第１実施形態から第３実施形態と同様の空気清浄機能と除菌機能を持ったイオン発生装置搭載ＰＣで、これらの実施形態に対して、ＰＣの開閉状態に応じて電源状態を切り替える機器電源制御手段を付加したものである。機器電源制御手段は、ＰＣが開状態から閉状態になったとき電源ＯＮ状態から電源ＯＦＦ状態に切り替え、ＰＣが閉状態から開状態になったとき電源ＯＦＦ状態から電源ＯＮ状態に切り替える。本実施形態では、図１や図９の電源制御部８０が機器電源制御手段に相当する。電源制御部８０は、ＬＣＤ開閉検出部から開閉状態の情報を取得し、電源のＯＮ／ＯＦＦを切り替える。
【００４２】
本実施形態のＰＣは、機器電源制御手段を備えることで、ディスプレイの開閉動作により、イオン発生端子の向きの切り替えとイオン発生モードの切り替えを同時に行うことが可能である。
【００４３】
なお、上述してきた実施形態は、本発明の好適な実施形態であり、上記実施形態のみに本発明の範囲を限定するものではなく、本発明の要旨を逸脱しない範囲において種々の変更を施した形態での実施が可能である。本発明が適用される電子機器は、表示部を持つ第１筺体と操作部を持つ第２筺体がヒンジ部で結合された折り畳み構造を持つものであれば、第１実施形態から第３実施形態として述べたノート型ＰＣのほか、ＰＤＡ（Personal Digital Assistant）、携帯電話機、携帯ゲーム機等が挙げられる。
【符号の説明】
【００４４】
１０    ＣＰＵ
２０    ＲＡＭ
３０    ＲＯＭ
４０    割り込み制御部
５０    ディスク制御部
５１    ディスク装置
６０    液晶制御部
６１    液晶表示装置
７０    入力制御部
７１    キーボード
７２    マウス
８０    電源制御部
８１    電源ボタン
９０    システムステート制御部
９１    ＬＣＤ開閉検出部
９２    イオン発生装置
９３    イオン発生端子針向き制御部
９２１    発生制御部
９２２    電圧供給部
９２３    可変抵抗部
９２４    電極部
【図１】
0005581023.tif 000002
【図２】
0005581023.tif 000003
【図３】
0005581023.tif 000004
【図４】
0005581023.tif 000005
【図５】
0005581023.tif 000006
【図６】
0005581023.tif 000007
【図７】
0005581023.tif 000008
【図８】
0005581023.tif 000009
【図９】
0005581023.tif 000010
【図１０】
0005581023.tif 000011